(57)【要約】【課題】コストアップを抑えつつ、用紙排紙口を塞ぐことのでき且つ操作が煩雑が単純な排紙スタッカを得ること。【解決手段】プリンタ１００は先方側に印刷の行われた印刷用紙を排紙する用紙排紙口７を有し、該用紙排紙口７には、開閉自在な左扉２１及び右扉２２と、印刷の行われた印刷用紙をスタックするスタッカ本体部１０とが設けられている。スタッカ本体部１０において印刷用紙をスタックするスタック面１０ａには、ガイド溝１１、１２が形成されていて、ガイド溝１１、１２には、左扉２１、右扉２２の下部に形成された突起部が嵌入している。スタッカ本体部１０は前後方向にスライド可能に設けられ、スライドすることにより、ガイド溝１１、１２内を左扉２１と右扉２２とに設けられた突起部が摺動し、左扉２１と右扉２２とが開閉する。【選択図】　　　　図２
2004075264.tif 000002
【特許請求の範囲】
【請求項１】
被記録材に記録を行う記録装置における被記録材排紙口において前後方向にスライド可能に設けられる板状体によって本体部が構成され、前記本体部が前方側に向けて引き出されることにより、排紙される被記録材をスタックする使用状態と、前記本体部が後方側に向けて押し込まれることにより、前記記録装置内に収納された非使用状態と、をとることのできる排紙スタッカであって、
前記被記録材排紙口を塞ぐ開閉自在な蓋体と、
前記本体部と前記蓋体とを係合させる係合手段と、を有し、
該係合手段が、前記本体部が前方側に向けて引き出された際には前記蓋体を開いて前記被記録材排紙口を開放し、前記本体部が後方側に向けて押し込まれた際には前記蓋体を閉じて前記被記録材排紙口を閉塞させることを特徴とする排紙スタッカ。
【請求項２】
請求項１において、前記係合手段が、前記本体部の被記録材スタック面上に形成されたガイド溝と、
前記蓋体に設けられ、前記本体部のスライド動作に従って前記ガイド溝内を摺動する突起部と、
からなることを特徴とする排紙スタッカ。
【請求項３】
請求項１または２において、前記蓋体が右扉及び左扉から構成され、前記本体部が前方側に向けて引き出されることにより、観音開きとなる様になされたことを特徴とする排紙スタッカ。
【請求項４】
請求項３において、前記右扉を開閉させる前記ガイド溝と、前記左扉を開閉させる前記ガイド溝とが左右非対称に形成されたことにより、前記蓋体が前記閉塞状態となる際に前記右扉と前記左扉とが互い違いに閉じる様になされたことを特徴とする排紙スタッカ。
【請求項５】
請求項４において、前記蓋体の前記閉塞状態において、前記右扉と前記左扉との対向部分が嵌合形状となる様に形成されていることを特徴とする排紙スタッカ。
【請求項６】
被記録材に記録を行う記録装置であって、請求項１から５のいずれか１項に記載の排紙スタッカを備えていることを特徴とする記録装置。
【発明の詳細な説明】
【０００１】
【発明の属する技術分野】
本発明は、被記録材に記録を行う記録装置における被記録材排紙口に設けられ、排紙される被記録材をスタックする排紙スタッカに関する。また、本発明は、該排紙スタッカを備えた記録装置に関する。
【０００２】
【従来の技術】
記録装置の一つとしてインクジェットプリンタ（以下「プリンタ」と言う）があり、プリンタは、印刷の行われた印刷用紙を排紙する用紙排紙口に、排紙された印刷用紙をスタックする排紙スタッカを備えている。
この排紙スタッカは、印刷用紙をスタックする状態においてプリンタ前方側に突出した状態となる為、収納性或いは輸送性を考慮して、収納可能に構成されるのが一般的である。
【０００３】
この様な排紙スタッカの一つには、本体部と、該本体部から引き出し可能な引き出し部とによって多段に構成され、非使用時には縮小され、使用時には前記多段の構成が伸長されることにより、広いスタック面を形成する様になされたものがある。より具体的には、この排紙スタッカは前記本体部がプリンタに対して回動可能に設けられ、回動することにより、略垂直に立設された状態となって前記用紙排紙口を覆う様になっている（非使用状態）。一方で使用時には、略水平（或いはやや斜め上方）に倒れた状態（使用状態）となり、そして前記多段の構成が前方側に伸長されて広いスタック面を形成し、印刷用紙をスタックすることができる様になる。
【０００４】
また、その他の排紙スタッカとして、広いスタック面を有する板状体からなり、前記用紙排紙口において前後方向にスライド可能に設けられ、プリンタ前方側に向けて引き出されることにより、排紙される印刷用紙をスタックする使用状態と、プリンタ底部に収納された非使用状態とをとる様になされたものもある。
【０００５】
【発明が解決しようとする課題】
ここで、前者の排紙スタッカ、即ち、多段に構成され且つプリンタに対して回動可能に設けられる排紙スタッカは、部品点数が多く、組み立て工数も掛かることから、低コスト化の要請に応えることができなかった。
【０００６】
一方で、後者の排紙スタッカ、即ち、広いスタック面を有する板状体からなり、用紙排紙口において前後方向にスライド可能に設けられる排紙スタッカの場合、前者の排紙スタッカと比して低コスト化を図ることができる反面、用紙排紙口が開口したままの状態となり、外観上好ましくないと共に、塵埃等が進入し易いといった欠点があった。加えて、この様な問題を解決すべく、用紙排紙口を覆う蓋体を設ける場合には、当該蓋体の開閉作業が繁雑となる。
【０００７】
そこで本発明はこの様な状況に鑑みなされたものであり、その課題は、コストアップを抑えつつ、用紙排紙口を塞ぐことのでき且つ操作が煩雑が単純な排紙スタッカを得ることにある。
【０００８】
【課題を解決するための手段】
上記課題を解決するために、本願請求項１記載の排紙スタッカは、被記録材に記録を行う記録装置における被記録材排紙口において前後方向にスライド可能に設けられる板状体によって本体部が構成され、前記本体部が前方側に向けて引き出されることにより、排紙される被記録材をスタックする使用状態と、前記本体部が後方側に向けて押し込まれることにより、前記記録装置内に収納された非使用状態と、をとることのできる排紙スタッカであって、前記被記録材排紙口を塞ぐ開閉自在な蓋体と、前記本体部と前記蓋体とを係合させる係合手段と、を有し、該係合手段が、前記本体部が前方側に向けて引き出された際には前記蓋体を開いて前記被記録材排紙口を開放し、前記本体部が後方側に向けて押し込まれた際には前記蓋体を閉じて前記被記録材排紙口を閉塞させることを特徴とする。
【０００９】
本願請求項１記載の発明によれば、本体部が被記録材に記録を行う記録装置における被記録材排紙口において前後方向にスライド可能に設けられる排紙スタッカは、前記被記録材排紙口を塞ぐ開閉自在な蓋体と、前記本体部と前記蓋体とを係合させる係合手段とを有し、該係合手段が、前記本体部が引き出されると前記蓋体を開いて前記被記録材排紙口を開放し、前記本体部が押し込まれると前記蓋体を閉じて前記被記録材排紙口を閉塞するので、前記蓋体によって前記被記録材排紙口が閉塞されることから外観上好ましく且つ塵埃等の進入を防止することができると共に、前記排紙スタッカと連動して前記蓋体が開閉するので、操作が煩雑とならず、ユーザフレンドリとなる。
また、前記排紙スタッカは本体部が前記記録装置に対して前後にスライドすることによって使用状態と非使用状態とをとる為、前記排紙スタッカを多段に構成し、且つ、回動可能に構成する場合と比して、低コスト化が図りやすいといった作用効果を得ることが可能となる。
【００１０】
本願請求項２記載の排紙スタッカは、請求項１において、前記係合手段が、前記本体部における被記録材スタック面上に形成されたガイド溝と、前記蓋体に設けられ、前記本体部のスライド動作に従って前記ガイド溝内を摺動する突起部とからなることを特徴とする。
本願請求項２記載の発明によれば、前記蓋体と係合する係合手段が、前記本体部における被記録材スタック面上に形成されたガイド溝と、前記蓋体に設けられ、前記本体部のスライド動作に従って前記ガイド溝内を摺動する突起部とからなるので、この様な簡易な構造によって極めて安価に、前記蓋体の開閉動作を前記本体部のスライド動作に連動させることが可能となる。
【００１１】
本願請求項３記載の排紙スタッカは、請求項１または２において、前記蓋体が右扉及び左扉から構成され、前記本体部が前方側に向けて引き出されることにより、観音開きとなる様になされたことを特徴とする。
本願請求項３記載の発明によれば、前記蓋体が右扉及び左扉から構成され、前記本体部が前記記録装置前方側に向けて引き出されることにより、観音開きとなる様になされているので、この様な左右対称の構造によって外観上好ましいと共に、前記右扉と左扉とが開いた状態では、前記被記録材排紙口から排紙される被記録材が左右へ滑らない様に、その排紙姿勢を規制する規制手段としての機能をも果たすことができ、より適切な排紙動作を行うことが可能となる。
【００１２】
本願請求項４記載の排紙スタッカは、請求項３において、前記右扉を開閉させる前記ガイド溝と、前記左扉を開閉させる前記ガイド溝とが左右非対称に形成されたことにより、前記蓋体が前記閉塞状態となる際に前記右扉と前記左扉とが互い違いに閉じる様になされたことを特徴とする。
本願請求項４記載の発明によれば、前記右扉を開閉させる前記ガイド溝と、前記左扉を開閉させる前記ガイド溝とが左右非対称に形成されたことにより、前記蓋体が前記閉塞状態となる際に前記右扉と前記左扉とが互い違いに閉じる様になされているので、この様に左右互い違いに閉じる様に構成することによって、前記蓋体が閉じた状態において前記右扉と前記左扉との間の隙間をほぼ無くすことが可能となり、より一層外観上好ましいとともに、より確実に外部から内部への塵埃の進入を防止することができる。
【００１３】
本願請求項５記載の排紙スタッカは、請求項４において、前記蓋体の前記閉塞状態において、前記右扉と前記左扉との対向部分が嵌合形状となる様に形成されていることを特徴とする。
本願請求項５記載の発明によれば、前記右扉と前記左扉との対向部分が嵌合形状となる様に形成されているので、これにより、前記蓋体をより確実に閉じた状態とすることができる。
【００１４】
本願請求項６記載の記録装置は、被記録材に記録を行う記録装置であって、請求項１から５のいずれか１項に記載の排紙スタッカを備えていることを特徴とする。
本願請求項６記載の発明によれば、被記録材に記録を行う記録装置は請求項１から５のいずれか１項に記載の排紙スタッカを備えているので、前述した本願請求項１から５のいずれか１項に記載された発明と同様な作用効果を得ることができる。
【００１５】
【発明の実施の形態】
以下、図１乃至図１０を参照しながら本発明の一実施形態について説明する。ここで、図１及び図２は本発明に係る「記録装置」としてのインクジェットプリンタ（以下「プリンタ」と言う）１００の外観斜視図であり、図１は蓋体２０が閉じた状態を、図２は蓋体２０が開いた状態を示している。また、図３はスタッカ本体部１０の外観斜視図、図４はスタッカ本体部１０をスライド可能に取り付けるスタッカ取付ユニット３０の外観斜視図、図５は左扉２１の外観斜視図（一部拡大図）、図６は左扉２１及びガイド溝１１の部分拡大図、図７は左扉２１及び右扉２２の部分拡大図である。更に、図８乃至図１０はスタッカ本体部１０本体部及び蓋体２０の動作を示す平面図である。
【００１６】
先ず、図１及び図２を参照しながら、プリンタ１００の外観構成について説明する。図１に示す様に、プリンタ１００は、下部ハウジング１と、上部ハウジング２と、これらの両側に設けられるサイドハウジング３、４とによって構成される筐体によって、その外観が構成されている。尚、該筐体の各構成部品は、全て樹脂材料を用いた一体成形によって形成されている。
【００１７】
図１において、プリンタ１００の後方側には給紙装置（図示せず）が設けられ、また、上部ハウジング２には、ペーパーサポート６が着脱自在に取り付けられていて、該ペーパーサポート６により、複数枚の印刷用紙が傾斜姿勢で支持される。上部ハウジング２の中央部には開閉自在なカバー５が設けられていて、カバー５を開放することにより、プリンタ１００の装置本体（図示せず）が露呈し、インクカートリッジ交換作業等が行える様になっている。上部ハウジング２の前方側下部には図２に示す様に用紙排紙口７が設けられていて、該用紙排紙口７には、板状体からなるスタッカ本体部１０によって本体部が構成された排紙スタッカ９が設けられている。
【００１８】
排紙スタッカ９は、樹脂材料によって形成された板状体からなるスタッカ本体部１０と、樹脂材料によって形成された蓋体２０と、樹脂材量によって形成されたスタッカ取付ユニット３０とから構成されている。この排紙スタッカ９は、図１に示す様に、スタッカ本体部１０がプリンタ１００の底部に収納された状態（非使用状態）と、図２に示す様にプリンタ１００の前方側に引き出された状態（使用状態）とをとることができる様に、プリンタ１００の前後方向にスライド可能に設けられている。そして、使用状態においては、図２に示す様にスタッカ本体部１０の上面によってなされたスタック面１０ａにより、排紙される印刷用紙がスタックされる。
【００１９】
蓋体２０は左扉２１と右扉２２とからなり、スタッカ本体部１０のスライド動作に従って開閉動作可能な様に設けられている。従って、図２に示す様にスタッカ本体部１０が引き出され、且つ、蓋体２０が開いて用紙排紙口７が開放された状態において、排紙スタッカ９は、排紙される印刷用紙をスタックすることができる様になっている。尚、スタッカ本体部１０及び蓋体２０のより詳細な構成については、後に説明する。
【００２０】
続いて、図１及び図２に示す下部ハウジング１には、図示しないプリンタ１００の装置本体が載設され、そして下部ハウジング１に載設された前記装置本体を覆う様に、図示しないスナップ固定手段及びねじ固定手段により、上部ハウジング２が設けられる。上部ハウジング２には上述の様に上方に開口する様な開口部（図示せず）が形成され、該開口部を覆う様に、カバー５が開閉自在に取り付けられている。
【００２１】
ここで、上部ハウジング２はドーム形の形状をなし、下部ハウジング１と結合すると、下部ハウジング１と上部ハウジング２とによって筒状体が形成される。そして、キャップ形状をなすサイドハウジング３、４は、この筒状体の両側部分を覆う様に、図１に示す様に下部ハウジング１と上部ハウジング２との両側に取り付けられる。
【００２２】
従って、サイドハウジング３、４が上述の様に取り付けられることによって、下部ハウジング１と上部ハウジング２とは、その結合状態が強固に保持され、外部から衝撃を受けた際や落下等に際しても分離せず、以てプリンタ１００の外観を構成する筐体の機械的強度を飛躍的に向上させることができる様になっている。
【００２３】
次に、排紙スタッカ９（スタッカ本体部１０及び蓋体２０）のより詳細な構成について説明する。先ず、図３に示す様にスタッカ本体部１０の前方側（プリンタ１００に設けられた際の前方側）端部には摘み部１０ｂが形成されていて、図１に示す様な非使用状態において、スタッカ本体部１０を引き出し易い様になされている。
【００２４】
このスタッカ本体部１０は、図１、図２、図４に示す様なスタッカ取付ユニット３０によってスライド可能に取り付けられている。より詳しくは、図４においてスタッカ取付ユニット３０はスタッカ支持面３６によってスタッカ本体部１０を支持し、また、スタッカ支持面３６上にはスタッカ本体部１０を差し込む差し込み部３５が形成されていて、該差し込み部３５にスタッカ本体部１０が差し込まれることにより、スタッカ本体部１０は、その姿勢が拘束された状態で前後方向にスライド可能となる（図４の矢印方向）。尚、差し込み部３５の内部には、スタッカ本体部１０のスタック面１０ａ上に形成されたストッパ部１３、１３（図３参照）と係合する突起（図示せず）が形成されていて、これによりスタッカ本体部１０は、プリンタ１００前方側へのスライド量が規制される様になっている。
【００２５】
続いて、スタッカ取付ユニット３０の前方側には、図４に示す様に用紙排紙口７を形成する、正面視において「ロ」の字形の形状をなす蓋体取付部３７が設けられていて、該蓋体取付部３７には、図１及び図２にも示す様に、蓋体２０を構成する左扉２１及び右扉２２が取り付けられている。ここで、左扉２１と右扉２２とは左右対称の構成を採る為、以下では説明の便宜の為、主として左扉２１について説明する。
【００２６】
左扉２１は、図５に示す様にやや湾曲した板状体からなり、その左側（図５の左側）においては、上下にそれぞれ突起部２１ｂ、２１ｃが形成されている。この突起部２１ｂ、２１ｃは、それぞれスタッカ取付ユニット３０に形成された嵌合孔３１、３２（図４参照）とそれぞれ嵌合し、これにより、左扉２１は、突起部２１ｂ、２１ｃを回動軸として図１及び図２に示す様に開閉可能となる。
【００２７】
一方、左扉２１の右側（図５の右側）下部には、突起部２１ａが形成されている。突起部２１ａは、スタッカ本体部１０に形成されたガイド溝１１（図３参照）に入り込むことにより、スタッカ本体部１０のスライド動作に従って左扉２１を開閉する機能を果たす。即ち、図３に示す様にスタッカ本体部１０のスタック面１０ａ上には、スタッカ本体部１０の側端側から始まって前方側（図３の下側）に延び、そして中央部において終わる滑らかな曲線を描く様にガイド溝１１、１２が形成されていて、スタッカ本体部１０と左扉２１とがスタッカ取付ユニット３０に取り付けられた際には、図６に示す様に突起部２１ａがガイド溝１１に入り込んだ状態となる。従って、突起部２１ａ（２２ａ）と、ガイド溝１１（１２）とは、スタッカ本体部１０と蓋体２０（左扉２１及び右扉２２）とを係合させる係合手段としての機能を果たす。
【００２８】
尚、右扉２２についても同様に、右扉２２の右側（図１の右側）に形成された突起部２２ｂ（図８参照）とこれの下側に形成された突起部（図示せず）が、それぞれ図４に示す嵌合孔３３、３４に嵌合し、図１及び図２に示す様に開閉可能となる。また、右扉２２とスタッカ本体部１０とがスタッカ取付ユニット３０に取り付けられた状態において、右扉２２の左側（図１の左側）に形成された突起部２２ａ（図８参照）が、スタッカ本体部１０に形成されたガイド溝１２に入り込んだ状態となる。
【００２９】
スタッカ取付ユニット３０には、以上の様に左扉２１、右扉２２、スタッカ本体部１０が取り付けられ、この状態のスタッカ取付ユニット３０（排紙スタッカ９）が図１に示す下部ハウジング１に取り付けられる。即ち、この様に予めユニット化した後に下部ハウジング１に取り付けることにより、組み立ての際の作業性を向上させることが可能となっている。
【００３０】
以下、以上の様に構成された排紙スタッカ９の動作について図７乃至図１０及び適宜その他の図面を参照しながら説明する。先ず、スタッカ本体部１０が図２に示す様にプリンタ１００前方側に引き出された状態（使用状態）において、左扉２１及び右扉２２にそれぞれ形成された突起部２１ａ、２２ａは、それぞれガイド溝１１、１２における、図３において符号１１ａ及び１２ａで示す場所に位置している。
【００３１】
この状態からスタッカ本体部１０をプリンタ１００に向けて押し込む方向（後方側）にスライドさせると、突起部２１ａ、２２ａは図８乃至図１０に示す様にそれぞれ位置１１ａ、１２ａを出発してガイド溝１１、１２内を摺動しながら位置１１ｃ、１２ｃに向かう。そして、これに伴って左扉２１及び右扉２２が徐々に閉じて行く。
【００３２】
ここで、ガイド溝１１とガイド溝１２とは、図３及び図８乃至図１０に示す様に、左右非対称の形状をなしている。即ち、ガイド溝１１、１２において、左扉２１及び右扉２２が閉じる際の始点となる位置１１ａ、１２ａは、スタッカ本体部１０のスライド方向（図８の上下方向）において同一レベルに位置しているが、左扉２１及び右扉２２が閉じる際の終点となる位置１１ｃ、１２ｃに向かう軌跡は、ガイド溝１１がややプリンタ後方寄り（図８の上側）となっている。従って、図８乃至図１０に示す様に、左扉２１と右扉２２とが閉じる際には、左扉２１が先行して閉じていくことになる。
【００３３】
以上により、左扉２１と右扉２２とは、図９に示す様に互い違いに閉じることになる。ここで、左扉２１及び右扉２２が閉じた状態において、互いに対向する部分は図７に示す様に嵌合形状をなしている。つまり、左扉２１には切り欠き部２１ｄが形成され、右扉２２にはこの切り欠き部２１ｄと嵌合する様に切り欠き部２２ｄが形成されている。そして、左扉２１が右扉２２よりも先行して閉じることから、図７に示す様に上記嵌合形状が適切に嵌合し、左扉２１と右扉２２との間に隙間が空くこと無くしっかりと閉じた状態となる。
【００３４】
尚、左扉２１と右扉２２とは、以上の様に閉じて用紙排紙口７（図２）を閉塞し、そして図１に示した状態となるが、スタッカ本体部１０を前方側に引き出すことにより、左扉２１と右扉２２とは上述とは逆の動作を行い、これにより、図２に示す様に開いた状態となって用紙排紙口７を開放する。
【００３５】
以下、以上の様に構成された排紙スタッカ９の作用効果について説明する。先ず、排紙スタッカ９は、スタッカ本体部１０と、用紙排紙口７を塞ぐ開閉自在な蓋体２０（左扉２１及び右扉２２）と、スタッカ本体部１０と蓋体２０とを係合させる係合手段（ガイド溝１１、１２及び突起部２１ａ、２２ａ）とを有し、該係合手段が、スタッカ本体部１０がプリンタ１００前方側に引き出されると蓋体２０を開いて用紙排紙口７を開放し、スタッカ本体部１０がプリンタ１００後方側に押し込まれると蓋体２０を閉じて用紙排紙口７を閉塞する様に構成されているので、非使用時には蓋体２０によって用紙排紙口７が閉塞されることから外観上好ましく且つ塵埃等の進入を防止することができると共に、スタッカ本体部１０と連動して蓋体２０が開閉するので、操作が煩雑とならず、ユーザフレンドリとなる。
【００３６】
また、排紙スタッカ９はスタッカ本体部１０がプリンタ１００に対して前後にスライドすることによって使用状態と非使用状態とをとる為、スタッカ本体部１０を多段に構成し、且つ、回動可能に構成する様な場合と比して、低コスト化が図りやすいといった作用効果を得ることが可能となる。
【００３７】
加えて、蓋体２０は右扉２２と左扉２１とから構成され、スタッカ本体部１０がプリンタ１００前方側に向けて引き出されることにより、図１から図２への変化に示す様に観音開きとなる様になされているので、この様な左右対称の構造によって外観上好ましいと共に、右扉２２と左扉２１とが開いた図２の状態では、用紙排紙口７から排紙される印刷用紙が左右へ滑らない様に、その排紙姿勢を規制する規制手段（ガイド手段）としての機能（ガイド機能）をも果たすことができ、より適切な排紙動作を行うことが可能となる。
【００３８】
更に、上述の様にガイド溝１１とガイド溝１２とが左右非対称に形成されたことにより、右扉２２と左扉２１とが互い違いに閉じるので、右扉２２と左扉２１とが閉じた状態において両者の隙間を隙間をほぼ無くすことが可能となり、より一層外観上好ましいとともに、より確実に外部から内部への塵埃の進入を防止することができる。
【００３９】
尚、本実施形態では、ガイド溝１１、１２及び突起部２１ａ、２２ａによってスタッカ本体部１０と蓋体２０とを係合させ、これによってスタッカ本体部１０のスライド動作と共に蓋体２０を開閉させる様に構成しているが、この様な構成に限定されるものではない。即ち、スタッカ本体部１０が蓋体２０と係合する係合手段を有し、該係合手段が、スタッカ本体部１０のスライド動作に従って蓋体２０を開閉させれば良いので、例えば、スタッカ本体部１０の側にラックギアを配し、蓋体２０の側には該ラックギアと噛合する回転ギアを設け、該回転ギアと前記ラックギアとの噛合によって蓋体２０を開閉（回動）させる様に構成することも可能である。
【００４０】
【発明の効果】
以上説明した様に、本発明によれば、本体部が被記録材に記録を行う記録装置における被記録材排紙口において前後方向にスライド可能に設けられる排紙スタッカは、前記被記録材排紙口を塞ぐ開閉自在な蓋体と、前記本体部と前記蓋体とを係合させる係合手段とを有し、該係合手段が、前記本体部が引き出されると前記蓋体を開いて前記被記録材排紙口を開放し、前記本体部が押し込まれると前記蓋体を閉じて前記被記録材排紙口を閉塞するので、前記蓋体によって前記被記録材排紙口が閉塞されることから外観上好ましく且つ塵埃等の進入を防止することができると共に、前記排紙スタッカと連動して前記蓋体が開閉するので、操作が煩雑とならず、ユーザフレンドリとなる。また、前記排紙スタッカは本体部が前記記録装置に対して前後にスライドすることによって使用状態と非使用状態とをとる為、前記排紙スタッカを多段に構成し、且つ、回動可能に構成する場合と比して、低コスト化が図りやすいといった作用効果を得ることが可能となる。
【図面の簡単な説明】
【図１】本発明に係るインクジェットプリンタ（蓋体が閉じた状態）の外観斜視図である。
【図２】本発明に係るインクジェットプリンタ（蓋体が開いた状態）の外観斜視図である。
【図３】スタッカ本体部の外観斜視図である。
【図４】スタッカ取付ユニットの外観斜視図である。
【図５】左扉の外観斜視図（一部拡大図）である。
【図６】左扉及びガイド溝の部分拡大図である。
【図７】左扉及び右扉の部分拡大図である。
【図８】スタッカ本体部及び蓋体の平面図である。
【図９】スタッカ本体部及び蓋体の平面図である。
【図１０】スタッカ本体部及び蓋体の平面図である。
【符号の説明】
１　下部ハウジング
２　上部ハウジング
３、４　サイドハウジング
５　カバー
６　ペーパーサポート
７　用紙排紙口
９　排紙スタッカ
１０　スタッカ本体部
１１、１２　ガイド溝
１３　ストッパ部
２０　蓋体
２１　左扉
２１ａ　突起部
２２　右扉
２２ａ　突起部
３０　スタッカ取付ユニット
１００　インクジェットプリンタ
【図１】
2004075264.tif 000003
【図２】
2004075264.tif 000004
【図３】
2004075264.tif 000005
【図４】
2004075264.tif 000006
【図５】
2004075264.tif 000007
【図６】
2004075264.tif 000008
【図７】
2004075264.tif 000009
【図８】
2004075264.tif 000010
【図９】
2004075264.tif 000011
【図１０】
2004075264.tif 000012